(57)【要約】【課題】筐体内部からのスピーカユニットの取り外しおよび筐体内部への取り付けが容易で、かつ外観上の問題も生じないスピーカシステムを提供する。【解決手段】このスピーカシステム１は、内部の空間部２ｄにスピーカユニット３が配置可能で、かつ側面２ａに開口部２１を備えた柱状の筐体２と、開口部２１から筐体２の内部の所定位置にスライド動作によって装填されると共に、筐体２の内部から開口部２１にスライド動作によって取り出される、スピーカユニット３を有するスライド板状部材４と、開口部２１を閉塞する閉塞板５とを備えている。【選択図】　　　図１
2004023663.tif 000002
【特許請求の範囲】
【請求項１】
内部の空間部にスピーカユニットが配置可能で、かつ側面に開口部を備えた柱状の筐体と、上記開口部から、上記筐体の内部の所定位置にスライド動作によって装填されると共に、上記筐体の内部から上記開口部にスライド動作によって取り出される、上記スピーカユニットを有するスライド板状部材と、上記開口部を閉塞する閉塞板とを備えることを特徴とするスピーカシステム。
【請求項２】
前記筐体の内部には、前記スライド板状部材の端部の上下いずれかの面に接する段部が設けられ、前記閉塞板には、回転して前記スライド板状部材を上記段部に対して押圧すると共に、その押圧した状態から、さらに、回転して、その押圧を緩めることを可能とする回転締め付け部材を設けていることを特徴とする請求項１記載のスピーカシステム。
【請求項３】
前記段部は、前記スライド板状部材の挿脱方向と同一面上の直角方向に設けられると共に、前記スライド板状部材を載置する形状であることを特徴とする請求項２記載のスピーカシステム。
【請求項４】
前記回転締め付け部材は、前記スライド板状部材の前記段部に接する面とは反対側の面に当接可能に配置された押圧部材と、この押圧部材が一端に固定され、かつ他端側が前記閉塞板に形成された孔を挿通し外部に突出している回転軸と、上記外部に突出された上記回転軸に取り付けられた回転操作レバーと、を備えたことを特徴とする請求項２または３記載のスピーカシステム。
【請求項５】
前記閉塞板と前記空間部を挟んで対向する前記筐体の側面に、さらに前記回転締め付け部材が設けられていることを特徴とする請求項２から４のいずれか１項記載のスピーカシステム。
【請求項６】
前記閉塞板に、前記スライド板状部材の一端が固定されていることを特徴とする請求項１から５のいずれか１項記載のスピーカシステム。
【請求項７】
前記閉塞板の前記回転操作レバーを設けた側に、装飾板を取り付け、上記装飾板には、その装飾板を取り付けた状態において、前記回転操作レバーを回動不能に嵌め込む挿通孔が設けられることを特徴とする請求項２から６のいずれか１項記載のスピーカシステム。
【請求項８】
前記閉塞板の前記回転操作レバーを設けた側の面に、前記回転操作レバーを回転操作させた際に当該回転操作レバーに当接し、当該回転操作レバーを前方へ移動させる突出部を設け、前記回転操作により前記回転操作レバーを前方へ移動させることによって、前記押圧部材が前記回転軸を挿通させている孔を塞ぐように前記押圧部材が前記閉塞板に押圧されることを特徴とする請求項４から７のいずれか１項記載のスピーカシステム。
【請求項９】
前記柱状の筐体は、飾り柱等の家屋の一部を形成する長尺状部材であることを特徴とする請求項１から８のいずれか１項記載のスピーカシステム。
【発明の詳細な説明】
【０００１】
【発明の属する技術分野】
本発明は、飾り柱や梁等、家屋の一部を構成する長尺状部材に組み込まれるスピーカシステムに関する。
【０００２】
【従来の技術】
従来より、室内の空間を有効に利用するために、大型のスピーカを室内の床等に置かずに、天井から吊して使用している例が知られている（これを、「天井吊し型」と称する）。また、スピーカ本体を壁や天井に埋め込んだものも知られている（これを壁埋め込み型」と称する）。
【０００３】
【発明が解決しようとする課題】
しかし、従来の天井吊し型スピーカは、天井の高さと天井の強度の制約を受ける。このため、低音の再生に適さない小型のスピーカを天井から吊さなければならず、低音の再生を効率よく行うことが出来ない。
【０００４】
また、従来の壁埋め込み型のスピーカの場合、その埋め込まれた空間内のキャビティの構成が不十分である。そのため、やはり低音の再生効率が悪い。加えて、出力される音の方向が壁の前方のみとなるため、室内におけるスピーカ前方以外の領域（例えば、部屋の隅の方）には、音が行き届きにくい。
【０００５】
そこで、本出願人は、家屋の一部を形成する長尺状部材を有効活用し、低音再生に適した大型スピーカを組み込み可能なスピーカシステムを考案した。
【０００６】
当該先に考案したスピーカシステムは、長尺状で内部空間を有する柱状の部材内に、反発磁気回路型の平面状のスピーカユニットが取り付けられている。このスピーカシステムは、木口部分から音が出力されるように構成され、室内の壁面から室内内部側に突出するように配置される。このため、強度的には十分で、大型の低音再生用のスピーカを内蔵するのに適したものとなり、しかも、その重低音が木口部分から室内全体に効率よく出力されるようになっている。
【０００７】
なお、壁への取り付け方法の例としては、図７および図８にそれぞれ示すような２通りが考えられる。１つは、図７に示すように、内部にスピーカーユニット７１が内蔵された長尺状の柱状部材７２を壁面７３の面に沿うように固定し、その外側から化粧面部材７４を被せる方法である。もう１つは、図８に示すように、外面が化粧面で構成され、内部にスピーカーユニット７１が内蔵された柱状部材７５を、壁面７３の面に沿うように固定する方法である。
【０００８】
しかし、上述の２通りの取り付け方法を採用したスピーカシステムには、さらに使いやすくするための改善点がある。図７に示すスピーカシステムにおいては、スピーカユニット７１を修理あるいは交換をする場合、まず、化粧面部材７４を柱状部材７２から取り外し、次に、露出した柱状部材７２の一側の表面部材（室内側に配置されるキャビネット前面部）７２ａを当該柱状部材７２の本体から取り外し、次に、スピーカユニット７１が固定された板状部材を取り外す必要がある。
【０００９】
また、図８に示すスピーカシステムにおいては、スピーカユニット７１を修理あるいは交換する場合、壁面から柱状部材７５を取り外し、次に露出した柱状部材７５の一側の裏面部材（壁面に固定されている側に配置されるキャビネット背面部）７５ａを当該柱状部材７５の本体から取り外し、次に、スピーカユニット７１が固定された板状部材を取り外す必要がある。
【００１０】
なお、この図８に示されたスピーカシステムは、通常、柱状部材７５を直接壁面に取り付ける構成となっている。外観を良くする必要から、内部を修理するために解放可能な蓋を目立たない裏面側に配置してこれを壁面への固定面とし、前面側を化粧面としている。このため、修理等により蓋を開ける場合には、一旦、壁面から取り外す必要がある。
【００１１】
このように、内装の一部となるような柱状のスピーカシステムでは、内部のスピーカユニットに故障等が発生した場合、修理をするために取り外したり、あるいは交換したりする作業が煩雑である。しかも、柱状のスピーカシステムは、室内のインテリアとして使用され、かつ大型で重量も大きいため、取り外しおよび取り付け作業が困難である。また、作業の困難性に起因して、取り外し時もしくは取り付け時に、誤って化粧面を傷つける可能性もある。
【００１２】
本発明の目的は、上述の問題点に鑑みて、筐体内部からのスピーカユニットの取り外しおよび筐体内部への取り付けが容易で、かつ外観上の問題も生じないスピーカシステムを提供することにある。
【００１３】
【課題を解決するための手段】
かかる目的を達成するため、本発明のスピーカシステムは、内部の空間部にスピーカユニットが配置可能で、かつ側面に開口部を備えた柱状の筐体と、開口部から、筐体の内部の所定位置にスライド動作によって装填されると共に、筐体の内部から開口部にスライド動作によって取り出される、スピーカユニットを有するスライド板状部材と、開口部を閉塞する閉塞板とを備えることを特徴としている。
【００１４】
また、他の発明は、上述のスピーカシステムにおいて、筐体の内部には、スライド板状部材の端部の上下いずれかの面に接する段部が設けられ、閉塞板には、回転してスライド板状部材を段部に対して押圧すると共に、その押圧した状態から、さらに、回転して、その押圧を緩めることを可能とする回転締め付け部材を設けていることを特徴としている。
【００１５】
また、他の発明は、上述のスピーカシステムにおいて、段部は、スライド板状部材の挿脱方向と同一面上の直角方向に設けられると共に、スライド板状部材を載置する形状であることを特徴としている。
【００１６】
また、他の発明は、上述の各スピーカシステムにおいて、回転締め付け部材は、スライド板状部材の段部に接する面とは反対側の面に当接可能に配置された押圧部材と、この押圧部材が一端に固定され、かつ他端側が閉塞板に形成された孔を挿通し外部に突出している回転軸と、外部に突出された回転軸に取り付けられた回転操作レバーと、を備えたことを特徴としている。
【００１７】
また、他の発明は、上述の各スピーカシステムにおいて、閉塞板と空間部を挟んで対向する筐体の側面に、さらに回転締め付け部材が設けられていることを特徴としている。
【００１８】
また、他の発明は、上述の各スピーカシステムにおいて、閉塞板に、スライド板状部材の一端が固定されていることを特徴としてる。
【００１９】
また、他の発明は、上述の各スピーカシステムにおいて、閉塞板の回転操作レバーを設けた側に、装飾板を取り付け、装飾板には、その装飾板を取り付けた状態において、回転操作レバーを回動不能に嵌め込む挿通孔が設けられることを特徴としている。
【００２０】
また、他の発明は、上述の各スピーカシステムにおいて、閉塞板の回転操作レバーを設けた側の面に、回転操作レバーを回転操作させた際に当該回転操作レバーに当接し、当該回転操作レバーを前方へ移動させる突出部を設け、回転操作により回転操作レバーを前方へ移動させることによって、押圧部材が回転軸を挿通させている孔を塞ぐように押圧部材が閉塞板に押圧されることを特徴としている。
【００２１】
また、他の発明は、上述の各スピーカシステムにおいて、柱状の筐体は、飾り柱等の家屋の一部を形成する長尺状部材であることを特徴としている。
【００２２】
【発明の実施の形態】
以下、本発明に係るスピーカシステムの実施の形態を、図面に基づいて詳細に説明する。
【００２３】
図１は、本発明の実施の形態のスピーカシステム１の要部を示した分解斜視図である。なお、図１は、筐体２の内部構造を示すために天板２２を取り外した状態で示されているが、この天板２２は、筐体２の本体部２３に取り付けられて本体部２３と一体となって筐体２を構成している。図２は、本発明の実施の形態のスピーカシステム１の全体を示した図で、筐体２の天板２２を取り外した状態で見た平面図である。
【００２４】
スピーカシステム１は、内部に空間部２ｄを有していると共に、側面２ａに開口部２１を備えた長尺状の筐体２と、筐体２の内部の所定位置に装填されるスピーカユニット３と、このスピーカユニット３が取り付けられると共に、空間部２ｄ（より具体的には、スピーカユニット取り付け空間部２５）内にスライド動作によって装填されるスライド板状部材４と、スライド板状部材４を挿入した状態で開口部２１を塞ぐ閉塞板５とを備えている。なお、この実施の形態では、スピーカユニット３の装填される所定位置は、筐体２の端部となっているが、かかる位置に限定されない。
【００２５】
筐体２は、図１および図２に示すように、外観上、長尺状の矩形の柱状部材で構成されている。この筐体２の第１の側面（図１における手前側の側面）２ａの長手方向一端側には、開口部２１が設けられている。この開口部２１は、スピーカユニット３が取り付けられたスライド板状部材４を着脱するための装填口である。
【００２６】
また、第１の側面２ａの開口部２１の近傍には、内部に取り付けられるスピーカユニット３からの音を外部に出力するための出力ポート２６ｃが設けられている。この出力ポート２６ｃは、筐体２の内側の空間部２ｄと外部とを挿通する矩形状の穴である。出力ポート２６ｃは、スピーカユニット３から出力され、後述する２つの音響迷路２６ａ，２６ｂをそれぞれ通ってこの出力ポート２６ｃ付近で合成された音を外部に出力する開口である。そして、筐体２の図２における紙面裏側の面（底面）２４は、取り付け面として当該筐体２を壁等に取り付ける面である。
【００２７】
筐体２の空間部２ｄは、第１の仕切板６によって、スピーカユニット取り付け空間部２５と、音響迷路部２６に区切られている。また、この音響迷路部２６は、空間部２ｄの幅方向における中央部分に配置されると共に、一端が第１の仕切板６ａに当接し、かつ筐体２の長手方向に延びる第２の仕切板７によって、第１の音響迷路２６ａと第２の音響迷路２６ｂに区切られている。
【００２８】
スピーカユニット取り付け空間部２５の図１における上下方向、すなわち厚み方向における略中央付近には、上述したスピーカユニット３が取り付けられたスライド板状部材４が装填される。
【００２９】
第１の仕切板６における図１で示す上下方向の中央より下側（壁面側）には、スピーカユニット取り付け空間部２５の内方に突出する段部８が設けられている。段部８は、スライド板状部材４を載置可能な面であり、かつスライド板状部材４をスライド移動させる際の案内部でもある。筐体２の端面２ｃの内側には、上述の段部８と略同一形状で、これと平行する段部２ｃ１が設けられている。この段部２ｃ１は、段部８と同じ役割を有している。したがって、スライド板状４を装填した状態では、スライド板状部材４の図１における左右方向両端は、段部８，２ｃ１に載置される。
【００３０】
第１の仕切板６は、段部８より図１における上部に、第１の切り欠き部６ａが設けられ、段部８より図１における下部に第２の切り欠き部６ｂが設けられている。第１の切り欠き部６ａは、第１の仕切板６の図１における手前側の上部に形成されている。このため、スピーカユニット取り付け空間部２５の上側の空間と、第２の音響迷路２６ｂとは、第１の切り欠き部６ａによって連通している。
【００３１】
また、第２の切り欠き部６ｂは、第１の仕切板６の図１における奥側の下部に形成されている。このため、スピーカユニット取り付け空間部２５の下側の空間と、第１の音響迷路２６ａとは、第２の切り欠き部６ｂによって連通している。この構成により、スピーカユニット３の表面側（図１における上側）に出力された音は、スピーカユニット取り付け空間部２５の上側の空間から第１の切り欠き部６ａによって形成される開口部分を通過し第２の音響迷路２６ｂを通って出力ポート２６ｃへ伝播する（図２の矢示Ｙ１は、第１の音の伝播経路を示している）。一方、スピーカユニット３から裏面側（図１における下側）に出力された音は、スピーカユニット取り付け空間部２５の下側の空間から第２の切り欠き部６ｂを通って出力ポート２６ｃへ伝播する（図２の矢示Ｙ２は、第２の音の伝播経路を示している）。
【００３２】
このように、スピーカユニット３の表面側に出力され、第１の経路Ｙ１を通って出力ポート２６ｃへ伝播する音と、スピーカユニット３の裏面側に出力され、第２の経路Ｙ２を通って出力ポート２６ｃへ伝播する音とは、出力ポート２６ｃ付近で合成される。
【００３３】
音響迷路２６ａと音響迷路２６ｂのそれぞれの長さは、上述の両経路を通ってきた各音が、所望する音の中心周波数で半波長ずれて位相が合う距離の差に設定されている。すなわち、両経路Ｙ１，Ｙ２を通る各音の周波数の位相を合わせることにより、振幅を互いに増幅するように設定されている。本実施の形態では、約１３０Ｈｚを所望の中心周波数とするように、経路Ｙ１と経路Ｙ２との距離の差が約１３０ｃｍに設定されている。
【００３４】
より具体的には、スピーカユニット３の裏面側に出力され経路Ｙ２を通る長さ（経路Ｙ２におけるスピーカユニット３から出力ポート２６ｃまでの長さ）は、約１６０ｃｍに、また、スピーカユニット３の表面側に出力され経路Ｙ１を通る長さ（経路Ｙ１におけるスピーカユニット３から出力ポート２６ｃまでの長さ）は、約３０ｃｍに設定されている。
【００３５】
これによって、両経路Ｙ１，Ｙ２をそれぞれ通って出力ポート２６ｃから出力される音は、設定された周波数の前後の音を有効に使ったものとなる。加えて、合成された音は、出力ポート２６ｃを経てから外部へ出力されるので、出力ポート２６ｃとキャビティによる共振周波数を、上述の中心周波数（約１３０Ｈｚ）に合わせることにより、出力としてロス無く取り出すことができる。それと同時に、その前後の周波数も付随して出力され、狭いキャビティでも有効に音が再生できる。
【００３６】
スライド板状部材４の中央部分には、低音出力に適した平板状のスピーカユニット３が取り付けられている。スピーカユニット３は、反発磁気回路を用いた、いわゆるダイレクトドライブ方式（ボイスコイルにボビンを介さずに直接振動板が接着されている方式）で、直径約１６０ｍｍ、厚さは約２５ｍｍのスピーカ本体を備えている。スピーカユニット３は、筐体２の突出方向における厚さ（図１における上下の幅）の中に、スピーカ本体の表面が天板２２側を向くように内蔵される。
【００３７】
このスピーカユニット３の外周端は、スライド板状部材４に形成された円形の枠に保持されている。スライド板状部材４は、スピーカユニット取り付け空間部２５を図１における上下に分割し、かつスピーカユニット３をその上下の空間内にそれぞれ露出するように保持した矩形状の平板状部材で構成されている。
【００３８】
このスライド板状部材４の一端は、閉塞板５の内面に形成された矩形状の穴（図示省略）に軽嵌合される。すなわち、閉塞板５の内面に、スライド板状部材４が直交し、かつ当該スライド板状部材４が上下方向に若干移動できるように嵌め込まれる。
【００３９】
閉塞板５は、スライド板状部材４が取り付けられた状態で、図１における矢示Ｘ１方向に移動させられることにより、スライド板状部材４が上述の両段部８，２ｃ１上に配置され、かつ当該閉塞板５が開口部２１を閉塞する。この状態では、スライド板状部材４と段部８，２ｃ１との間には、若干のクリアランスがある。そのため、スライド板状部材４は、スピーカユニット取り付け空間部２５内でスムーズにスライド移動することができる。
【００４０】
閉塞板５には、２つの回転締め付け部材１１ａ，１１ｂが回動自在に支持されている。各回転締め付け部材１１ａ、１１ｂは、それぞれ押圧部材１２ａ，１２ｂと、回転軸１３ａ，１３ｂと、回転操作レバー１４ａ，１４ｂを有している。閉塞板５は、スライド板状部材４が所定位置に配置させて回転操作レバー１４ａ，１４ｂを回し、押圧部材１２ａ，１２ｂによってスライド板状部材４を段部８，２ｃ１に押圧させた後、４隅をネジ止めによって開口部２１に固定される。ただし、ネジ止め固定によって閉塞板５を固定しなくても良い。
【００４１】
回転締め付け部材１１ａ，１１ｂについて、さらに詳しく説明する。閉塞板５には、挿通孔（図示省略）が２つ形成され、これらの各挿通孔には回転軸１３ａ，１３ｂが回転自在でかつ軸方向には移動不能に支持されている。各回転軸１３ａ，１３ｂのスピーカユニット取り付け空間部２５側の先端部には、それぞれ押圧部材１２ａ，１２ｂが固定されている。両回転軸１３ａ，１３ｂは、上述の各挿通孔を通って閉塞板５の外面側に突出され、各突出部分には、両回転軸１３ａ，１３ａをそれぞれ回転操作するために、回転操作レバー１４ａ，１４ｂが取り付けられている。
【００４２】
図３は、閉塞板５に回転自在に支持された回転軸１３ａ，１３ｂに固定された押圧部材１２ａ，１２ｂを、図１における閉塞板５の側から見た正面図である。なお、図３では、押圧部材１２ａ，１２ｂの構成を見やすくするために、閉塞板５を省略し、かつ回転軸１３ａ，１３ｂおよび回転操作レバー１４ａ，１４ｂを仮想線で示している。
【００４３】
図３に示すように、押圧部材１２ａは、その略中心部分が回転軸１３ａの一端に固定されている。押圧部材１２ａは、その固定部分から両側に延出された矩形形状で、かつ回転方向Ｒ１１に回転した際に、先に上下方向の壁面と接する各角部分に丸みＲ２１がそれぞれ形成された形状を有している。ここで、回転方向Ｒ１１は、回転操作レバー１４ａの先端部分が、他方の回転操作レバー１４ｂ側に倒れる方向に回転する方向である。
【００４４】
図４（Ａ）は、図３に示す状態を、他の部位との関係を含めて示した図である。図４（Ａ）に示すように、押圧部材１２ａは、上方に配置された天板２２および下方に配置されたスライド板状部材４と平行となっている。
【００４５】
押圧部材１２ａは、回転操作レバー１４ａをＲ１１方向に回転操作することによって、回転軸１３ａと一体的に回転する。これによって、押圧部材１２ａの長手方向における一方の端部１２ａ１が天板２２の内面に当接すると共に、他方の端部１２ａ２がスライド板状部材４の上面に当接する。図４（Ｂ）は、この状態を示した図である。これによって、図４（Ｂ）の矢印Ｆに示す方向に力が働き、スライド板状部材４がスピーカユニット取り付け空間部２５内の段部８に押圧される。
【００４６】
押圧部材１２ａが、スライド板状部材４を段部８に押圧した状態となると、押圧部材１２ａは、スピーカユニット３から出力される音による振動では、回転しない。回転操作レバー１４ａを上述の回転方向Ｒ１１と逆方向に手動等で回動させると、押圧部材１２ａは、天板２２およびスライド板状部材４への押圧に抗して逆方向に回転する。
【００４７】
一方、回転軸１３ｂに取り付けられた押圧部材１２ｂは、上述の押圧部材１２ａと左右対称に取り付けられており、回転操作レバー１４ｂを回転方向Ｒ１２へ回転させることにより、上述の押圧部材１２ａと同様の動作を行う。
【００４８】
図１に示すように、閉塞板５の外側には、装飾板としてのグリル１０が装着される。本実施の形態では、グリル１０は、所定間隔毎に前方に突出し長手方向に延出している凸状部１０ａが複数設けられた形状を有している。ただし、グリル１０の形状は、図１に示す形状に限定されるものではない。グリル１０には、閉塞板５に回動自在に支持され、かつ閉塞板５の表面から前方に突出している回転操作レバー１４ａ，１４ｂを収納する矩形状の挿通孔としての窓部１０ｂが形成されている。このため、グリル１０を閉塞板５に被せたときに、両回転操作レバー１４ａ，１４ｂが窓部１０ｂに入り込み、当該両回転操作レバー１４ａ，１４ｂの表面は、グリル１０の凸状部１０ａと略同一面となる。
【００４９】
スピーカユニット３が取り付けられたスライド板状部材４をスピーカユニット取り付け空間部２５内の所定位置に配置し、閉塞板５に支持された各回転操作レバー１４ａ，１４ｂを回転操作してスライド板状部材４を段部８，２ｃ１に押圧し、グリル１０を取り付けた後には、回転操作レバー１４ａ，１４ｂの回転が不能となる。窓部１０ｂ内に、回転操作レバー１４ａ，１４ｂが嵌り込んだ状態となるためである。これによって、スピーカユニット３の振動等によって、回転操作レバー１４ａ，１４ｂが誤って回転して、上述の押圧が解除されるおそれはない。しかも、回転操作レバー１４ａ，１４ｂが、グリル１０の窓部１０ｂ内に嵌り込んで、グリル１０の一部を形成するので、スピーカシステム１の外観上も良い。
【００５０】
また、図１に示すように、閉塞板５とスピーカユニット取り付け空間部２５を挟んで対向する、筐体２の他の側面２ｂには、閉塞板５と同様、回転締め付け部材１１ａ，１１ｂが回転自在に支持されている。側面２ｂの外側には、閉塞板５の外側と同様、筐体２内に配置され回転軸１３ａ，１３ｂにそれぞれ固定された押圧部材１２ａ，１２ｂを回転操作するための両回転操作レバー１４ａ，１４ｂが配置されている。これによって、閉塞板５と対向する反対側の面からも、押圧部材１２ａ，１２ｂを回転させ、これによってスライド板状部材４を段部８，２ｃ１に押圧することができる。
【００５１】
なお、上述の構成によれば、閉塞板５には、回転軸１３ａ，１３ｂを挿通させる挿通孔（図示省略）が設けられている。また、筐体２の反対側の側面２ｂの閉塞板５と対向する位置にも、同様に回転軸１３ａ，１３ｂを挿通させる挿通孔（図示省略）が設けられている。これらの孔と回転軸１３ａ，１３ｂとの間にクリアランスを設けたことにより、その隙間からエア漏れが生じる場合には、シリコンゴム等のシール材を塗布することにより、これを防ぐことができる。このシール材は、回転操作レバー１４ａ，１４ｂを回転させ回転軸１３ａ，１３ｂを回転させることにより簡単に破ることができる。スピーカユニット３を有するスライド板状部材４を、再び筐体２内に取り付ける場合には、再度、シール材を挿通孔と回転軸１３ａ，１３ｂとの間の隙間に塗布することで対応できる。
【００５２】
なお、上述のエア漏れ対策として、シール材を利用せずに、図５に示す構造を採用しても良い。図５（Ａ）は、閉塞板５、この閉塞板５に支持されたスライド板状部材４および回転締め付け部材１１ａ，１１ｂの斜視図である。図５に示す構造によれば、回転締め付け部材１１ａ，１１ｂを構成する、回転操作レバー１４ａ，１４ｂ、回転軸１３ａ，１３ｂおよび押圧部材１２ａ，１２ｂが軸方向に移動可能である。
【００５３】
図５に示すように、閉塞板５の前面には、上端部分に開始点を有し下方に向かって閉塞板５の表面からさらに前方へ突出するように傾斜する傾斜部５ａと、この傾斜部５ａの終点からさらに下方に延出された非傾斜面部５ｂとを備えた突出部５ｃが、それぞれ回転操作レバー１４ａ，１４ｂの回転軌道内に配置されている。
【００５４】
図５（Ｂ）は、図５（Ａ）のＢ−Ｂ断面図である。図５（Ｂ）に示すように、回転操作レバー１４ｂの回転位置をその先端が上方に向いた状態としている場合には、押圧部材１２ｂは、天板２２およびスライド板状部材４と平行となっており、スライド板状部材４を押圧していない状態となっている。図５（Ｂ）に示す状態から、図５（Ａ）における矢示Ｒ１２方向に回転操作レバー１４ｂを回転すると、回転操作レバー１４ｂの閉塞板５側の面が、突出部５ｃの傾斜部５ａに乗り上がる。
【００５５】
そのため、回転操作レバー１４ｂは、図５（Ｂ）における右側に移動する。これに伴って、回転軸１３ｂおよび押圧部材１２ｂも図５（Ｂ）における右側に移動する。これによって、押圧部材１２ｂは、回転軸１３ｂが挿通している挿通孔に近づいていく。
【００５６】
さらに回転操作レバー１４ｂを矢示Ｒ１２方向に回転させると、図５（Ｃ）に示すように、回転操作レバー１４ｂが傾斜部５ａを乗り越えて非傾斜面部５ｂに乗り上がる。そして、回転操作レバー１４ｂは、天板２２およびスライド板状部材４と平行となる。
【００５７】
回転操作レバー１４ｂの閉塞板５側の面から押圧部材１２ｂの閉塞板５側の面までの寸法Ｗ２は、閉塞板５の厚みに突出部５ｃの非傾斜面部５ｂの厚みを加えた寸法Ｗ３と同じか若干小さいものとなっている。そのため、回転操作レバー１４ｂを矢示Ｒ１２方向に回転し、回転操作レバー１４ｂが非傾斜面部５ｂ上に乗り上がると、押圧部材１２ｂが閉塞板５側に移動し、挿通孔を塞いで閉塞板５に押圧される。これによって、閉塞板５の内側の空間、すなわちスピーカユニット取り付け空間部２５内が密閉されることとなる。
【００５８】
なお、図５における左側に配置された回転操作レバー１４ａも同様に、突出部５ｃの非傾斜面部５ｂに乗り上がるように回転させると、回転軸１３ａを挿通している挿通孔が押圧部材１２ａによって塞がれる。したがって、シール材を用いなくても、回転軸１３ａ，１３ｂを挿通させる挿通孔を塞ぎ、スピーカユニット取り付け空間部２５内を密閉することができる。
【００５９】
以上のように構成されたスピーカシステム１へのスピーカユニット３の組み込み作業および取り外し作業について、図１及び図４を用いて説明する。
【００６０】
まず、閉塞板５に取り付けられたスライド板状部材４を、閉塞板５に取り付けられた側とは反対側の先端を先頭にして、図１における矢示Ｘ１方向に挿入する。スライド板状部材４の幅方向の寸法Ｗ１は、スピーカユニット取り付け空間部２５内の段部８，２ｃ１より上の部分よりは小さく、かつ段部８，２ｃ１より下の部分よりは大きく形成されている。そのため、スライド板状部材４は、段部８，２ｃ１より下の部分には挿入できない。
【００６１】
なお、図１では、閉塞板５に支持された回転操作レバー１４，１４の回転位置が、互いに内側にその先端部分が接近するように約９０度に倒れた状態となっている。しかし、スピーカ取り付け時においては、図４（Ａ）に示すように回転操作レバー１４ａ，１４ｂを、その先端が上方に略垂直に立つような位置とする。
【００６２】
図４（Ａ）に示す回転操作レバー１４ａ，１４ｂの位置において、押圧部材１２ａ，１２ｂは、天板２２およびスライド板状部材４に対して平行な状態となっている。このため、押圧部材１２ａ，１２ｂは、天板２２およびスライド板状部材４に当接せず、スライド板状部材４は段部８，２ｃ１に押圧されない状態となっている。したがって、スライド板状部材４は、抵抗無くスピーカユニット取り付け空間部２５内にスムーズにスライド移動により進入することができる。
【００６３】
スライド板状部材４の先端部分が閉塞板５と対向位置にある側面２ｂの内面に当接してそれ以上奥に入らない状態になった後、図４（Ａ）に示すように、回転操作レバー１４ａを矢示Ｒ１１方向に、回転操作レバー１４ｂを矢示Ｒ１２方向にそれぞれ回転させる。これによって、図４（Ｂ）に示すように、回転操作レバー１４ａ，１４ｂの先端部分は閉塞板５の幅方向中央付近で互いに接近し、各回転操作レバー１４ａ，１４ｂは、天板２２およびスライド板状部材４と平行となる。
【００６４】
その結果、両押圧部材１２ａ，１２ｂの各一方の端部１２ａ１，１２ｂ１が天板２２に当接し、各他方の端部１２ａ２，１２ｂ２がスライド板状部材４に当接する。この動作により、スライド板状部材４の図４における左側端部近傍部分は、第１の仕切板６の段部８に押圧され、右側端部近傍部分は、端面２ｃの段部２ｃ１に押圧される。
【００６５】
本実施の形態では、筐体２の図１における奥側に配置された側面２ｂの閉塞板５との対向位置にも、同様に回転締め付け部材１１ａ，１１ｂが設けられている。各回転締め付け部材１１ａ，１１ｂの回転操作レバー１４ａ，１４ｂは、スライド板状部材４を筐体２内に挿入する前の時点では、閉塞板５に設けられた回転操作レバー１４ａ，１４ｂと同様、その先端が上方に向く位置である。
【００６６】
スライド板状部材４が筐体２内に装填された後、閉塞板５側と同様に、天板２２に対して平行となるように内側に向けてそれぞれ回転操作する。すると、両押圧部材１２ａ，１２ｂは、スライド板状部材４をそれぞれ段部８，２ｃ１に押圧する。このように、４つの押圧部材１２ａ，１２ｂが、スライド板状部材４の４カ所を段部８，２ｃ１へ押圧しているので、スピーカユニット取り付け空間部２５内の上側の空間と下側の空間との密閉度が上がると共に、スピーカユニット３が取り付けられたスライド板状部材４が筐体２内に強固に固定される。この結果、上下各空間の音が、それぞれ密閉された空間内に出力されることとなり、効率よくこの上下各空間から音響迷路部２６へ伝播すると共に、スピーカの振動による異音が発生しにくい。
【００６７】
次に、スピーカユニット３が取り付けられたスライド板状部材４を筐体２内に取り付けた後、閉塞板５を開口部２１へネジ止め固定する。そして、その外側から、グリル１０を被せてこのグリル１０を接着もしくはネジ止め等により筐体２へ固定する。なお、このとき、閉塞板５から前方に飛び出している回転操作レバー１４ａ，１４ｂは、グリル１０に設けられた窓部１０ｂ内に収納される。
【００６８】
また、図２に示すように（図１では図示省略）、筐体２の図１における奥側に配置された側面２ｂにも、同様にグリル１０を被せて同様に固定する。その際にも、側面２ｂから飛び出している回転操作レバー１４ａ，１４ｂは、グリル１０に形成された窓部１０ｂ内に収納される。
【００６９】
次に、スピーカユニット３を筐体２から取り外す動作を説明する。まず、側面２ａ，２ｂに固定されたグリル１０を取り外す。次に、４つの回転操作レバー１４ａ，１４ｂを、各先端が上方へ向くように回転させ、段部８，２ｃ１へのスライド板状部材４の押圧を解放する。さらに、回転操作レバー１４ａ，１４ｂを手前側に引っ張ることにより閉塞板５を図１における矢示Ｘ１と反対の方向に引き、スライド板状部材４を外へとスライド移動させる。これにより、スピーカユニット３が取り付けられたスライド板状部材４は容易に筐体２から取り外される。
【００７０】
上述したように、本実施の形態では、筐体２の天板２２を本体部２３から取り外すことなく、筐体２の側面２ａに形成された開口部２１からスライド移動させるという簡単な作業により、その内部へスピーカユニット３を容易に装填することができる。また、取り外しの際も同様に、簡単な作業で容易にスピーカユニット３を筐体２から取り外すことができる。
【００７１】
なお、上述の実施の形態は、本発明の好適な実施の形態の例であるが、これに限定されるものではなく、本発明の要旨を逸脱しない範囲において種々変形実施可能である。例えば、上述の実施の形態では、回転操作レバー１４ａ，１４ｂおよび押圧部材１２ａ，１２ｂをそれぞれ４つ設け、スライド板状部材４を４カ所押圧する構成としたが、押圧の箇所は４カ所より少なくても、またそれより多くても良い。
【００７２】
また、上述の実施の形態では、スライド板状部材４の上面に押圧部材１２ａ，１２ｂを当接させ、スライド板状部材４の下面を下方に位置する段部８，２ｃ１に押圧して、スライド板状部材４の固定状態を高める構成としている。しかし、段部８，２ｃ１を上部に設け、回転操作レバー１４ａ，１４ｂを下部に設けて、押圧部材１２ａ，１２ｂをスライド板状部材４の下面に当接させ、スライド板状部材４の上面を上方に位置する段部に押圧して、スライド板状部材４の固定状態を高める構成としても良い。なお、このように段部８，２ｃ１を上部に設ける構成とする場合は、スライド板状部材４と閉塞板５とを別部材で構成し、閉塞板５はスライド板状部材４をスピーカユニット取り付け空間部２５内に装填した後に取り付けるようにするのが好ましい。一体的とすると、取り付け時において、閉塞板５が、当該スピーカユニットが取り付けられている壁にぶつかって、壁および閉塞板５のいずれか一方またはその両方を傷付けてしまう可能性があるためである。
【００７３】
また、押圧部材１２ａ，１２ｂで押圧してスライド板状部材４の固定状態を高めるのに加え、バネやゴム等の弾性部材を用いてさらに固定強度を向上させつつ、取り外しも容易な構造としても良い。
【００７４】
また、上述の実施の形態では、回転操作レバー１４ａ，１４ｂで押圧部材１２ａ，１２ｂを回転させて、スライド板状部材４を段部８，２ｃ１に押圧する構成としたが、スピーカユニット取り付け空間部２５内の密閉度およびスピーカユニット３を設けたスライド板状部材４の固定強度等を考慮に入れない場合は、単にスライド板状部材４をスピーカユニット取り付け空間部２５内に開口部２１からスライド動作によって装填し、かつ取り出しができる構成としても良い。
【００７５】
すなわち、図６に示すように、筐体２のスピーカユニット取り付け空間部２５内の端面２ｃの内側および第１の仕切板６の内側には、それぞれスライド案内溝９，９が形成されている。このため、閉塞板５に取り付けられたスライド板状部材４の先端側の両側端部を、両スライド案内溝９，９内に挿入し、閉塞板５を矢示Ｘ２方向に押していくと、両スライド案内溝９，９に案内されながらスライド板状部材４がスピーカユニット取り付け空間部２５の奥へと進入していく。
【００７６】
そして、スライド板状部材４が最奥まで到達し、閉塞板５の内側の面が開口部２１の縁に当接した後に、閉塞板５を開口部２１の縁部分にネジ止め固定する。これによって、スピーカユニット３が筐体２のスピーカユニット取り付け空間部２５内の所定位置に装填される。その後に、閉塞板５の前面からグリル１０を被せて、このグリル１０を筐体２に固定する。図６に示すグリル１０には、上述の実施の形態における窓部１０ｂは設けられていない。
【００７７】
図６のような構造とすると、スライド案内溝９，９とスライド板状部材４との間のクリアランスを大きくとれば、スライド板状部材４の挿入および取り出し動作が容易となる。しかし、スピーカユニット取り付け空間部２５内の上下空間の密閉度が悪くとなると共に、スライド板状部材４の固定強度も弱くなる。そのため、振動やエア漏れによる異音が発生する可能性も生じる。
【００７８】
一方、スライド案内溝９，９とスライド板状部材４との間のクリアランスを小さくとれば、異音の発生を防止できるが、スライド板状部材４の挿入および取り出し動作が困難となる。
【００７９】
上述の実施の形態では、取り付けおよび取り外しの作業性と、取り付け後の固定強度の双方を勘案した構成、すなわちスライド板状部材４をスムーズに挿入した後、４つの回転操作レバー１４ａ，１４ｂを回転動作させることにより、押圧部材１２ａ，１２ｂを動作させてスライド板状部材４のスピーカユニット取り付け空間部２５内での固定強度を向上させた構成を採用している。
【００８０】
また、上述の実施の形態では、スライド板状部材４を段部８，２ｃ１に押圧して、スピーカユニット取り付け空間部２５の上側の空間と下側の空間との密閉度を高める構成としているが、これに加えて閉塞板５とスライド板状部材４との密閉度、および反対側の側面２ｂとスライド板状部材４との密閉度も同時に高める構成としても良い。
【００８１】
また、上述の実施の形態では、スライド板状部材４に平板型の反発磁気回路を用いたダイレクトドライブ方式のスピーカユニット３を取り付けたものとしたが、スピーカユニットの形状、大きさ、方式等はこれに限定されるものではなく、他の形状、大きさ、方式のもので構成しても良い。また、上述の実施の形態では、閉塞板５とスライド板状部材４とを固定しているが、これらの閉塞板５とスライド板状部材４は固定されなくても良い。
【００８２】
【発明の効果】
以上説明したように、本発明によれば、筐体内部からのスピーカユニットの取り外しおよび筐体内部への取り付けが容易となり、しかも外観上の問題が生じない。
【図面の簡単な説明】
【図１】本発明の実施の形態のスピーカシステムの要部となる部分を、天板を取り外した状態で示した分解斜視図である。
【図２】本発明の実施の形態のスピーカシステムを天板を外した状態で示した平面図である。
【図３】図１のスピーカシステムの押圧部材を閉塞板の側から見た図で、一体的に動作する回転軸および回転操作レバーを仮想線で示した正面図である。
【図４】本発明の実施の形態のスピーカシステムの要部となる閉塞板とその閉塞板の裏側に配置された各部材との関係を示した正面図で、（Ａ）はスライド板状部材の装填前の状態を、（Ｂ）は装填後の状態を示した図である。
【図５】本発明の実施の形態のスピーカシステムの第１の変形例の要部となる閉塞板を示した図で、（Ａ）は斜視図、（Ｂ）は（Ａ）のＢ−Ｂ断面図、（Ｃ）は（Ｂ）の状態から回転操作レバーを回転させた状態を示した断面図を示している。
【図６】本発明の実施の形態の第２の変形例を示した分解斜視図である。
【図７】従来の柱状スピーカシステムの壁面への取り付け例を示した分解斜視図である。
【図８】従来の柱状スピーカシステムの壁面への他の取り付け例を示した分解斜視図である。
【符号の説明】
１　スピーカシステム
２　筐体
２ａ　側面
２ｄ　空間部
３　スピーカユニット
４　スライド板状部材
５　閉塞板
１０　グリル（装飾板）
１１ａ，１１ｂ　回転締め付け部材
１２ａ，１２ｂ　押圧部材
１３ａ，１３ｂ　回転軸
１４ａ，１４ｂ　回転操作レバー
２１　開口部
【図１】
2004023663.tif 000003
【図２】
2004023663.tif 000004
【図３】
2004023663.tif 000005
【図４】
2004023663.tif 000006
【図５】
2004023663.tif 000007
【図６】
2004023663.tif 000008
【図７】
2004023663.tif 000009
【図８】
2004023663.tif 000010